(57)【要約】【課題】複数画像を合成する合成処理時においても、画質劣化を起こさせることなく色処理を実行し、かつ矩形領域にあった変倍処理を高速に実行することが可能である印刷装置を提供すること。【解決手段】画像合成処理において、合成画素が透過色か否かにより色処理と変倍処理の処理順序を変更し、合成処理はデバイス非依存空間のおいて行い、透過色である場合には、合成処理を行わずにベース画素に対する色空間変換後に変倍処理を実行し、透過色でない場合には変倍処理後に合成処理を行う。【選択図】        図１
2006347012.tif 000002
【特許請求の範囲】
【請求項１】
複数の入力画像データに対して、復号化処理、回転処理、縮小処理を実行し、１もしくは複数のラスタラインデータを生成する画像データ生成手段と、生成された複数画像の１ラスタライン画像データに対して、それぞれ色空間変換処理、色変換処理、変倍処理を実行しバッファ上に配置する手段と、複数の画像に対し拡大処理後の画像を合成する合成手段と、合成した画像に対し量子化処理を実行し印刷を行う印刷手段を備えることを特徴とする印刷装置。
【請求項２】
請求項１に記載する合成手段は、透過率が指定可能である画像を合成画像の一つとして含むことを特徴とする請求項１に記載の印刷装置。
【請求項３】
請求項１に記載する合成手段は、デバイス非依存な色空間において合成処理が行われることを特徴とする請求項１または請求項２に記載の印刷装置。
【請求項４】
請求項２に記載する合成手段は、合成後の各画素の結果が下地画素と同じになる場合にはその画素における請求項１に記載する変倍処理を合成後の画素に対して実行し、また下地画素と同じにならない場合には合成処理前に実行することを特徴とする請求項１〜請求項３いずれかに記載の印刷装置。
【発明の詳細な説明】
【技術分野】
【０００１】
本発明は印刷装置に関するものである。
【背景技術】
【０００２】
パソコンなどの印刷制御装置で作成されたデータを接続されるプリンタで印刷する場合、各印刷制御装置内のプリンタドライバにおいてプリンタが印刷可能なデータを作成し、プリンタに送信するシステムが一般的となっている。しかし近年にはこのシステムに加え、デジタルカメラ等のホスト装置を直接プリンタに接続して印刷するシステムや、プリンタに搭載されるリーダを介してメモリカード等のデータ保存デバイス内にあるデータから直接印刷を行うダイレクト印刷装置及びダイレクト印刷システムが出現している。
【０００３】
一方、上述したパソコン等を使用した印刷システムにおいては、各プリンタ特有のデータを作成するため、各システム内のプリンタドライバソフトウエア内において画像に対してＣＲＴ等他の色空間からプリンタ色空間への変換を行う色補正処理、プリンタ色空間内での変換を行う色変換処理、量子化処理などを施し、プリンタに最適なデータを生成するのが一般的である。
【０００４】
しかしながら上述したデジタルカメラやメモリカードなどから直接印刷を行うダイレクト印刷システムにおいてはホスト機器の能力に制限があるため機器内にプリンタドライバを搭載することが困難であることから、印刷対象画像をＪＰＥＧ等の一般的な画像フォーマットとして印刷装置に送信し、印刷装置内で上記処理を施して印刷を行う手法がとられている。
【０００５】
また近年のユーザニーズにより、単に画像を印刷するにとどまらず、複数の画像を合成して印刷を行う合成処理も可能となっている。
【０００６】
しかし一方ではプリンタ内に上述した処理を搭載することにより、プリンタの処理負荷が増大するという問題も生じる。一般的にはホストコンピュータの能力はプリンタの能力に勝るため、プリンタ内でホストコンピュータと同等な処理を行った場合には処理速度が落ちてしまうためである。本問題点を解消するために、例えば特許文献１にあげられるように、画像処理における色変換処理部と拡縮処理部の順序を入れ替える手法がとられている。
【特許文献１】特開２００４−１９４０５０号公報
【発明の開示】
【発明が解決しようとする課題】
【０００７】
しかしながら上記従来例の特許文献１では、色処理と拡縮処理の順序を入れ替えることで処理時間の短縮を図っているが、合成印刷時においては拡縮処理を色処理前に実行する必要があるため、処理時間を短縮することができないという問題が残る。このため本発明の目的は、複数画像を合成する合成処理時においても、画質劣化を起こさせることなく色処理を実行し、かつ矩形領域にあった変倍処理を実行することが可能である印刷装置を提供することにある。
【課題を解決するための手段】
【０００８】
印刷制御装置やデジタルカメラ等の入力装置、及び入力装置と接続可能な印刷装置を設ける。接続にはＵＳＢやパラレル等のインターフェースを使用する。本印刷装置内には入力装置から送信される印刷対象データの受信手段を設ける。更に内蔵される読み込み装置に装着されているメモリカードなどの記憶媒体からのデータ読み出し手段を設け、本記憶媒体からもデータを入力することが可能である仕組みを含んでいても構わない。
【０００９】
次に本印刷装置内に、印刷対象データを印刷装置特有のデータに変換する画像処理装置を設ける。本画像処理装置は印刷対象データに対して、復号化処理、縮小処理、回転処理、色空間変換、色変換処理、拡大処理、量子化処理などを施した後、エンジン部において印刷を行う。更に、本画像処理装置内に複数画像を合成する手段と、印刷指定が合成印刷か否かを判断する手段を設ける。
【００１０】
以上の手段を用いて、まず印刷方法が合成印刷か否かを判断し、合成印刷である場合には、印刷対象となるベース画像及びフレーム画像に対してそれぞれ復号化処理および色空間変換を施してデバイス非依存の色空間に変換する。次に画像の出力矩形領域に従いそれぞれの画像に対して変倍処理を施した後、画像合成処理を行う。次に合成された画像に対し、デバイス依存カラー空間への色空間変換処理や量子化処理を施し、エンジン部において印刷を行う。一方合成印刷でない場合には、まず印刷対象となるベース画像に対して復号化処理および色空間変換を施してデバイス非依存の色空間に変換する。次にデバイス依存カラー空間への色空間変換処理を施した後に変倍処理を行う。その後量子化処理を施し、エンジン部において印刷を行う。
【００１１】
以上の手段を設けることにより、フレーム合成印刷時においては、適切な合成処理を行う一方で、フレーム合成印刷でない場合には色空間変換処理の回数を削減し高速な印刷を行うことのできる印刷装置を提供することが可能となる。
【００１２】
更に合成印刷時においては、合成処理対象となる画素に対して透過率を把握し、透過率１００％か否かにより変倍処理と色処理の順序を入れ替える手段を設けることにより、色処理の回数を削減し高速な印刷を行うことのできる印刷装置を提供することが可能となる。
【００１３】
さらに説明すれば、本発明の技術内容は以下の構成を備えることにより前記課題を解決できた。
【００１４】
（１）複数の入力画像データに対して、復号化処理、回転処理、縮小処理を実行し、１もしくは複数のラスタラインデータを生成する画像データ生成手段と、生成された複数画像の１ラスタライン画像データに対して、それぞれ色空間変換処理、色変換処理、変倍処理を実行しバッファ上に配置する手段と、複数の画像に対し拡大処理後の画像を合成する合成手段と、合成した画像に対し量子化処理を実行し印刷を行う印刷手段を備えることを特徴とする印刷装置。
【発明の効果】
【００１５】
本発明の実施の形態に係る印刷装置では、フレーム合成印刷時においては、適切な合成処理を行う一方で、フレーム合成印刷でない場合には色空間変換処理の回数を削減し高速な印刷を行うことのできる印刷装置を提供することが可能となる。
【００１６】
更に合成印刷時においては、合成処理対象となる画素に対して透過率を把握し、透過率１００％か否かにより変倍処理と色処理の順序を入れ替える手段を設けることにより、色処理の回数を削減し高速な印刷を行うことのできる印刷装置を提供することが可能となる。
【発明を実施するための最良の形態】
【００１７】
以下、添付図面に従って本発明に係わる第一の実施形態を詳細に説明する。
【実施例】
【００１８】
（実施の形態１）
図１は、本発明の実施の形態に係わる印刷装置内における本発明を最も明確に表す図である。図１における１０１と１０７はＪＰＥＧデータ、１０８はＰＮＧデータ、１０２と１０９及び１１０は復号化処理、１０３と１１１及び１１２は色空間変換処理、１０４と１１６は色変換処理、１０５と１１３及び１１４は拡大処理、１０６と１１７は量子化処理である。なお本図では一例としてＪＰＥＧデータとＰＮＧデータを使用するがデータフォーマットを規定するものではない。
【００１９】
更に詳細に説明する。１０１〜１０６は非合成時の印刷処理フローであり、１０７〜１１７は合成時の印刷処理フローである。まず１０１のデータに対して、１０２において復号化処理が実行される。この時出力画像枠に応じて回転及び縮小の処理が実行される場合もある。復号化処理からは複数ラインのデータが生成されるが、各ラスタラインごとに以降の処理が実行される。１０３では復号化された１ラスタラインデータに対して色空間変換処理が実行されＲＧＢ等の色空間データが生成される。１０４ではデバイス依存カラーへの色変換処理が実行され印刷装置に依存したデータが生成される。本拡大処理は出力矩形領域と元画像のサイズが異なる場合に必要となる処理である。次に１０６において量子化処理が施され、印刷可能なデータが生成される。本処理フローにより色空間変換及び色変換処理を拡大前の画像（画素数）に対して処理を行うことが可能となり、処理の高速化が図れることとなる。
【００２０】
次に１０７〜１１７は合成時の印刷処理フローである。１０７及び１０８のデータは１０９及び１１０において復号化処理が実行される。この時出力画像枠に応じて回転及び縮小の処理が実行される場合もある。復号化処理からは複数ラインのデータが生成されるが、各ラスタラインごとに以降の処理が実行される。１１１及び１１２では復号化された１ラスタラインデータに対して色空間変換処理が実行されＲＧＢ、ＲＧＢα等の色空間データが生成される。次に１１３及び１１４においてそれぞれの画像に対して拡大処理を施し、合成可能なサイズに変換を行う。１１５においては画像の合成処理を行い、１１６に色変換処理を経た後、１１７の量子化処理において印刷可能なデータが生成される。本処理により透過率（αなど）などを含むデータに対してデバイス非依存の色空間での合成が可能となるのである。
【００２１】
図２は、本発明の実施の形態に係わる印刷装置が動作するハードウエアの構成図である。本発明の実施の形態に係わる印刷装置は、印刷対象データを提供するためのホスト装置２０１、本発明の手段を含む印刷装置２０３、及びホスト装置と印刷装置を接続する双方向インターフェース２０２で構成される。ホスト装置２０１は、ＰＣ等のコンピュータのみならず、例えばデジタルカメラやスキャナ等のダイレクト印刷を行う場合のホスト機器である。
【００２２】
次に同図を用いてデータの流れについて説明する。ホスト装置としてデジタルカメラを使用する場合、同ホスト装置において撮影されたデータ、もしくは内蔵するメモリカード等の領域に保存されているデータが、双方向インターフェースを介して印刷装置に送信する。この時ホスト装置からは印刷対象データに加え、印刷時の付加情報もあわせて印刷装置に送信されるものとする。この付加情報には印刷データに付随する様々な情報の他に、印刷データを紙面上に表現するためのレイアウト情報、印刷設定情報などが含まれるのである。
【００２３】
またホスト装置を用いずに印刷を行う形態も可能である。印刷装置２０３内には後述する図３におけるメモリ装置や操作パネル等の手段を含む場合もあり、この場合にはメモリ装置から印刷データを読み出し、上述のような情報を操作パネルから入手して印刷印刷装置単独での印刷が可能となるのである。
【００２４】
図３は、上述した図２の印刷装置の内部構成を示す説明図である。
【００２５】
印刷装置は、ＣＰＵ３０１、ＲＯＭ３０２、Ｆｌｕｓｈ  ＲＯＭ３０３、ＲＡＭ３０４、ＣＦコントローラ３０６、ＣＦ  Ｉ／Ｆ３０７、操作パネル３０８、操作パネルコントローラ３０９、通信装置３１０、通信装置コントローラ３１１、表示装置３１２、表示装置コントローラ３１３、印字装置３１４、印字装置コントローラ３１５で構成されている。
【００２６】
以下詳細に説明を行う。
【００２７】
ＣＰＵ３０１によって読み出しのみ可能であるＲＯＭ３０２や、書き換え可能なＦｌｕｓｈ  ＲＯＭ３０３に格納される制御プログラムまたは制御手順が実行されるとき、ＲＡＭ３０４がＣＰＵ３０１の演算、論理判断における各種データを一時的に記憶するワークメモリとして用いられる。
【００２８】
本発明の復号化処理、色空間変換処理、色変換処理、拡大処理、レイアウト処理、量子化処理などのプログラムは、ＲＯＭ３０１あるいはＦｌｕｓｈ  ＲＯＭ３０２に格納されており、各々のプログラムにより生成されるデータ、例えば、レイアウト情報、ＪＰＥＧファイルやＰＮＧファイルの復号化結果、色空間変換結果、色変換結果、拡大結果、量子化結果などは、ＲＡＭ３０３のそれぞれの保存領域に保存される。
【００２９】
ＣＦ  Ｉ／Ｆ３０７は、コンパクトフラッシュ(登録商標)カードのインターフェースであり、ＣＦコントローラ３０６により駆動制御され、コンパクトフラッシュ(登録商標)カードに格納されたデジタルカメラ撮影ＪＰＥＧ画像の情報を、ＲＡＭ上に読み出す為に使用される。
【００３０】
操作パネルコントローラ３０９は、操作者の指示を伝えるための入力インターフェースであり、操作した内容は、操作パネル３０８に表示され、印刷実行ボタン押下にて、印刷処理が起動される。
【００３１】
通信装置３１０は、ホスト装置と印刷装置間の通信を行うための装置であり、通信装置コントローラ３１１で駆動制御され、ホスト装置からの操作およびデータを受信すると共に、印刷装置からの応答ステータスを返信する目的で使用される。印刷の操作指示は、前記操作パネル部からに加えて、ホスト装置からの印刷実行ボタン押下によっても、行なえるようなシステム構成となっている。
【００３２】
表示装置３１２は、表示装置コントローラ３１３で駆動制御され、前記ＣＦより読み出された画像やエラーメッセージなどを表示するための出力装置であり、小型カラー液晶などが使用されている。
【００３３】
印字装置３１４は装着された用紙に対して、装置内のヘッド、インクを使用して記録出力する装置部である。操作パネル３０８あるいはデジタルカメラからの印刷処理は、各インターフェースから受信した情報により、ＣＰＵ３０１がＲＯＭ３０２あるいはＦｌｕｓｈ  ＲＯＭ３０３の印刷制御プログラムを実行し、印字装置コントローラ３１５を駆動制御することにより、印字装置内のインクヘッドを動作させ、用紙に対してインクヘッド内のインクを噴射することを繰り返すことにより行われる。
【００３４】
内部バス３１６は、ＣＰＵ３０１から印字装置３１４での機器間で通信するための、共通通信路であり、印刷装置内の全ての機器間の通信は、この内部バスを経由して行われる構成となっている。
【００３５】
次に上述した印刷装置内における本発明に係わる処理について、図２、図４〜図６を用いて詳述する。図４は本発明の印刷装置からの出力例である。本例は画像Ａと画像Ｂを合成して１出力矩形上に合成して印刷を行った場合の結果（画像Ｃ）である。画像Ａがベース画像であり、画像Ｂはベース画像に対して上のレイアに配置されるフレーム画像である。本図では画像Ｂ内の白矩形領域に透過率１００％が指定されており、その矩形を囲むグレー領域に透過率０％が指定されている。このため、出力結果は透過値１００％の領域にベース画像が現れ、０％の領域はフレーム画像がそのまま印字されることとなる。
【００３６】
次に本処理の流れは、まず図２において２０１ホスト装置から画像のデータが印刷装置２０３へと送信される。またデータの入手は上述したように印刷装置内にある保存領域からでも構わない。また印刷装置での印刷データの入手時にあわせて、ホスト装置もしくは内蔵する操作パネルから付随する情報の入手も行われる。
【００３７】
次に入手されたデータを印刷するまでの一連の流れについて図５を用いて説明する。図５におけるＡは、非合成時の内部の処理フローである。入手されたデータはデバイス非依存の色空間（例えばＲＧＢ）からデバイス依存の色空間（例えばＣＭＹＫ）に変換され、その後拡大処理が施されて、レイアウト処理へと渡される。色空間変換処理は全ての画像に対して同一の処理を行うため、対象画素数を削減することで全体の処理速度を向上させることが可能である。このため非合成時には出力矩形に合わせるための拡大処理を色空間変換処理後に行うことで、色空間変換処理の対象画素数を削減することが可能となるのである。
【００３８】
次に図５におけるＢは、合成時の内部処理フローである。本処理は画像の合成印刷であるため、処理対象の画像にはＢ−１のベース画像（最背面画像）とＢ−２のフレーム画像（上位画像）がある。また画像にはα値（透過率）を含むことも可能である。画像合成には前述の透過率の反映も考慮する必要があるため、ＣＭＹＫのようなデバイス依存色空間ではなくデバイス非依存の色空間（例えばＲＧＢ）で行われる必要がある。
【００３９】
以上を鑑み、Ｂ−１においては、まずデバイス非依存の色空間への変換処理を施し、例えばＲＧＢ空間のデータを用意する。次に拡大処理において出力矩形の大きさに拡大を施す。一方Ｂ−２のフレーム画像に対しては、透過率を表現できる例えばＲＧＢα空間のデータを用意し、同様に出力矩形の大きさに拡大を施す。次に同一空間であるＲＧＢ空間においてα値を反映した合成処理を施す。合成後のデータはデバイス非依存のＲＧＢ空間のデータであるため、その後にデバイス依存色空間であるＣＭＹＫ空間への変換処理を施すこととなるのである。以上の処理により、図４に示すような合成処理が可能となるのである。
【００４０】
次に、上記の如く構成された本発明の実施の形態に係る印刷装置において、図６のフローチャートを用いて処理フローを詳述する。
【００４１】
図６は本処理のメインフローを表す処理である。まず処理開始時に６０１において合成印刷か否かの判断を行う。合成印刷でない場合には６０２に進み、出力画像に対する全ての処理が終了したか否かを判断し、終了している場合には、６１０に進み終了する。一方全ての処理が終了していない場合には、６０３に進み画像のデコード処理を実行する。例えばデータがＪＰＥＧデータである場合にはデコード処理によりＹＣｂＣｒのデータを入手することとなる。次に６０４においてデバイス非依存の色空間への変換処理を行い（例えばＲＧＢ空間）、その後６０５においてデバイス色空間（例えばＣＭＹＫ）への変換処理を行う。更に６０６において出力矩形領域に合うように拡大処理を実行し、６０７においてレイアウト処理（例えばメモリへの出力）を実行する。次に６０８において量子化処理を実行した後、６０９においてエンジン部への出力処理を行い６０２に戻るのである。本処理フローでは、拡大処理をデバイス色空間で行うため、その前処理となる色空間変換処理を拡大前の画素数に対して処理を行うこととなり、色空間変換処理の高速化が可能となる。
【００４２】
一方６０１において合成印刷と判断された場合には６１０に進み、出力画像に対する全ての処理が終了したか否かを判断し、終了している場合には６２１に進み全ての処理を終了する。処理が終了していない場合には、６１１においてベース画像の、また６１２においてフレーム画像のデコード処理を行い、６１３と６１４において、合成可能な色空間への変換処理を行う。例えばベース画像はＲＧＢであり、透過値を指定可能なフレーム画像はＲＧＢαである。次に６１５と６１６において出力矩形サイズに合うようにそれぞれの画像に対して拡大処理を実行する。それぞれの原画像サイズにより拡大率は異なるが、拡大後のサイズは等しいサイズとなるように拡大処理を実行する。次に６１７において合成処理を実行する。この時の合成処理には透過率が反映され、例えば図４のような合成結果となるのである。次に合成した画像データに対してデバイス依存色空間への変換処理を６１８において実行した後、６１９において量子化処理を実行する。量子化されたデータは６２０においてエンジンにより出力され６１０に戻る。合成処理はデバイス非依存の色空間において実行する必要があるが、本処理のようなフローを実現することで可能となるのである。
【００４３】
以上詳述した図６におけるフローを繰り返すことにより、合成印刷時には透過値を反映した合成画像の生成が可能であり、また非合成時には処理を高速に行うことが可能となるのである。
【００４４】
次に上述した本発明の合成処理について、その高速化を目的とした合成処理方法について説明する。図７は本発明の合成処理方法の流れを表す図である。本合成処理方法は、図１においては１１１から１１６における処理として用いることが可能である。
【００４５】
図７のＡが、ベース画像とフレーム画像を合成した場合の例である。ベース画像は１〜３の異なったデータで、またフレーム画像も○と×の異なったデータで構成されている。なおフレーム画像の×は１００％透過の画素、○はそれ以外の画素を示している。出力矩形枠に合わせて拡大した場合に、それぞれの画像が２倍拡大となる場合を考えると、合成結果に示すように、最初の２画素はベース画像の画素が出力され、次の２画素は合成した結果の画素、そして最後の２画素は再びベース画像の画素がそのまま出力される結果となる。つまりフレーム画像において１００％透過となっている画素は対象となるベース画像の画素がそのまま出力されることとなるのである。なお合成結果にはアンダーラインで示しているが、これは結果がデバイス依存色空間への変換処理も施された状態を示している。
【００４６】
図７のＢは、図７のＡの処理におけるデータの変化を表した図である。まず（１）において、フレーム画像の拡大処理を実行する。この時に１００％透過か否かの判断処理も行われる。次に（２）において、１００％透過でない画素に対しては、対象となるベース画像を拡大し合成処理を施す。次に（３）において、合成した画素のみに対して色空間変換処理を実行施す。また１００％透過である画素はそのままである。次に（４）において１００％透過であった画素に対して対象となるベース画像の画素に対して色空間変換処理を実行し、次に拡大処理を実行した結果をバッファに出力する。
【００４７】
次に、上記の如く構成された本発明の実施の形態２に係る印刷装置において、図６及び図８のフローチャートを用いて処理フローを詳述する。
【００４８】
図８は図６の６１０から６２１の一連の処理において、合成処理及びデバイス依存色空間への変換処理として配置可能な処理である。まず８０１において全ラスタの合成処理が終了したか否の判断処理を行う。処理が終了していない場合には、８０２に進み、後述する８０３から８０７までの処理がフレーム画像の注目ラスタの全画素に対して終了しているか否かの判断を行う。終了していない場合には、８０３において対象画素は１００％透過か否かの判断を行い、透過であれば８０６に進み連続１００％透過画素カウンタをインクリメントして８０２に戻る。一方１００％透過でない場合には８０４に進み、透過画素カウンタが一定量を越えているかの判断を行う。一定量越えていれば、８０７に進みその起点と終点を記憶しカウンタをクリアし、また注目画素を出力矩形枠に合わせて拡大した後、拡大結果バッファに出力して８０２に戻る。一方、一定量を越えていない場合には、カウンタ分の複数画素及び注目している１００％透過ではない画素を出力矩形枠に合わせて拡大し、拡大結果バッファに出力した後、カウンタをクリアし８０２に戻る。以上の処理が終了した状態が、図７ではＢ−（１）となる。
【００４９】
次に８０２において全ての画素が終了したと判断された場合には８０８に進み、後述する８０９から８１３までの処理がフレーム画像の１ラスタ全画素に対して終了したか否かの判断処理を行う。終了していない場合には８０９において対象画素が記憶した連続エリア内か否かの判断を行い、エリア内であれば８０８の戻る、一方エリア外であれば８１０に進み、ベース画像の合成対象画素を拡大する。次に８１１において合成処理を行った後に（図７ではＢ−（２）終了）、８１２においてデバイス非依存色空間からデバイス依存色空間への変換処理を行い、８１３でバッファに出力した後８０８に戻る。以上の処理が終了した状態が、図７ではＢ−（３）となる。
【００５０】
次に８０８において全ての画素が終了したと判断された場合には８１４に進み、記憶していた全ての連続エリアに対する処理が終了したか否かの判断処理を行う。終了していない場合には８１５において対象ベース画素のデバイス非依存空間からデバイス依存空間への色変換処理を行う。次に８１６において本画像の拡大処理を行ったのち、８１７において拡大画素数分のデバイス依存データを出力して８０１に戻る。
【００５１】
以上が図８におけるフローの説明である。
【００５２】
以上詳述した図６及び図８におけるフローを繰り返すことにより、合成印刷時にも色空間変換処理を削減することが可能ととなり、処理の高速化を図ることができる。以上が本実施例１における印刷装置内の動作である。
【図面の簡単な説明】
【００５３】
【図１】本発明の印刷装置内の処理フローを示す図
【図２】本発明の印刷装置が動作するハードウエア構成図
【図３】本発明の印刷装置内の内部構成図
【図４】第一の実施例における合成結果
【図５】第一の実施例における合成処理のフロー図
【図６】第一の実施例における内部処理フローを示すフローチャート
【図７】第一の実施例における高速化の内部処理を示すフロー図
【図８】第一の実施例における高速化の内部処理フローを示すフローチャート
【符号の説明】
【００５４】
１０１、１０７    ＪＰＥＧデータ
１０８    ＰＮＧデータ
１０２、１０９、１１０    復号化処理
１０３、１１１、１１２    色空間変換処理
１０４、１１６    色変換処理
１０５、１１３、１１４    拡大処理
１０６、１１７    量子化処理
１１５    合成処理
２０２    双方向インターフェース
２０３    印刷装置
３０１    ＣＰＵ
３０２    ＲＯＭ
３０３    Ｆｌｕｓｈ  ＲＯＭ
３０４    ＲＡＭ
３０６    ＣＦコントローラ
３０７    ＣＦ  Ｉ／Ｆ
３０８    操作パネル
３０９    操作パネルコントローラ
３１０    通信装置
３１１    通信装置コントローラ
３１２    表示装置
３１３    表示装置コントローラ
３１４    印字装置
３１５    印字装置コントローラ
【図１】
2006347012.tif 000003
【図２】
2006347012.tif 000004
【図３】
2006347012.tif 000005
【図４】
2006347012.tif 000006
【図５】
2006347012.tif 000007
【図６】
2006347012.tif 000008
【図７】
2006347012.tif 000009
【図８】
2006347012.tif 000010